(57)【特許請求の範囲】
【請求項１】
河川に設けられた水位調整堰と、この水位調整堰の上流側に取水口、下流側に戻し口がそれぞれ設けられた浄化用水路と、この浄化用水路に配設された浄化設備と、前記取水口に配設され、浄化用水路に流入する水を除塵する除塵スクリーンと、浄化用水路の除塵スクリーンの下流側に設けられ、浄化用水路への河川水の流入を止める可動式の止水堰とを備えた河川浄化装置の運転方法であって、多量の降水により河川が増水したときに止水堰を閉鎖することにより、浄化用水路への河川水の流入を停止させ、増水時に増加する土砂の侵入を阻止し、浄化設備の目詰まりや損耗を防止することを特徴とする河川浄化装置の運転方法。
【請求項２】
除塵スクリーンを、多数の円板が回転軸に固定された多重回転円板式スクリーンユニットを、該スクリーンユニットの円板間隙間に隣接するスクリーンユニットの円板が挿入されるように並設して構成し、各スクリーンユニットの円板を河川側でその下流方向に回転させるようにしたことを特徴とする請求項１記載の河川浄化装置の運転方法。
【発明の詳細な説明】
【０００１】
【発明の属する技術分野】
本発明は、ＢＯＤ、ＣＯＤなど有機物を浄化にするのに好適な河川浄化装置の運転方法に関し、特に、河川を流下する塵芥や土砂を、浄化設備内に流入させることなく下流側へ流下させることができる河川浄化装置の運転方法に関するものである。
【０００２】
【従来の技術】
近年、河川における浄化作用が見直されつつある。
例えば、河川中に人工的なせせらぎを造り、これによって表面曝気を促すなどの方法が採用されている。
また、河川中に、れき間接触装置を設けて浄化する方法も、最近ようやく実用に向かって動き出しつつある。
【０００３】
【発明が解決しようとする課題】
しかしながら、前者においては、豪雨などにより河川が増水した際に、流動した土砂がせせらぎを埋めてしまい、この土砂を容易に取り除くことができないという問題がある。
また、後者においても、河川水中にある塵芥が、れきの間に浸入し、水の流れを阻害して使用を困難にするおそれがある。
【０００４】
本発明は、上記従来の河川浄化装置が有する問題点に鑑み、自然流下を利用した河川水の浄化という従来の長所を損なうことなく、土砂や塵芥による目詰まりを防止することができる河川浄化装置の運転方法を提供することを目的とするものである。
【０００５】
【課題を解決するための手段】
上記目的を達成するため、本発明の河川浄化装置の運転方法は、河川に設けられた水位調整堰と、この水位調整堰の上流側に取水口、下流側に戻し口がそれぞれ設けられた浄化用水路と、この浄化用水路に配設された浄化設備と、前記取水口に配設され、浄化用水路に流入する水を除塵する除塵スクリーンと、浄化用水路の除塵スクリーンの下流側に設けられ、浄化用水路への河川水の流入を止める可動式の止水堰とを備えた河川浄化装置の運転方法であって、多量の降水により河川が増水したときに止水堰を閉鎖することにより、浄化用水路への河川水の流入を停止させ、増水時に増加する土砂の侵入を阻止し、浄化設備の目詰まりや損耗を防止することを特徴とする。
【０００６】
本発明の河川浄化装置の運転方法では、水位調整堰によって浄化用水路に河川水を自然流入させるとともに、この流入した水を浄化設備によって浄化した後、再び河川に流出させる。
この際、浄化用水路に流入する水を除塵スクリーンで除塵することにより、浄化設備の塵芥による目詰まりを防止することができる。
また、除塵スクリーンに残留塵芥が出た場合に、止水堰を閉鎖することによって浄化用水路への河川水の流入を停止させ、河川の流れを利用して残留する塵芥を流下させることができる。
さらに、増水時に止水堰を閉鎖することにより、浄化用水路への河川水の流入を停止させ、増水時に増加する土砂の侵入を阻止し、浄化設備の目詰まりや損耗を防止することができる。
【０００７】
この場合において、除塵スクリーンを、多数の円板が回転軸に固定された多重回転円板式スクリーンユニットを、該スクリーンユニットの円板間隙間に隣接するスクリーンユニットの円板が挿入されるように並設して構成し、各スクリーンユニットの円板を河川側でその下流方向に回転させるようにすることができる。
【０００８】
これにより、除塵スクリーンで除塵した塵芥を、そのまま河川側に流下させ、塵芥の２次処理を省略することができるとともに、この際、スクリーン円板の回転によって河川の下流側に強制的に送り、塵芥の滞留を抑制することができる。
【０００９】
【発明の実施の形態】
以下、本発明の実施の形態を図面に基づいて説明する。
【００１０】
図１〜図４に本発明の河川浄化装置の運転方法を適用する河川浄化装置の一実施例を示す。
この河川浄化装置は、河川１に設けられた水位調整堰７と、この水位調整堰７の上流側に取水口３、下流側に戻し口６がそれぞれ設けられた浄化用水路２と、この浄化用水路２に配設された浄化設備５と、取水口３に配設され、浄化用水路２に流入する水を除塵するとともに、除塵した塵芥９を河川側で自然流下させる除塵スクリーン４と、浄化用水路２の除塵スクリーン４の下流側に設けられ、浄化用水路２への河川水の流入を止める可動式の止水堰８とを備えている。
【００１１】
水位調整堰７は河川を横切るように配設され、取水口３側の水位が、戻し口６側の水位よりも高くなる水位差を得るようにして形成される。
これにより、平野部の河川では、例えば、約１００ｍの流れの中で、約０．２ｍ〜１．０ｍの水位差を設けることができるが、水位調整堰７の高さは、取水口３の位置で、予め設定した水量を浄化用水路２内に取水できる水位を維持できるようにして定めるようにする。
なお、この水位調整堰７は、河川に既に設置されているものを使用してもよく、また、新たに設けてもよい。
【００１２】
浄化用水路２は、河川１と並行するバイパス状に形成され、取水口３から流入した水を浄化設備５で浄化した後に、下の戻し口６から河川１に流出する。
【００１３】
浄化設備５としては、浄化能力に優れる任意のものを用いることができるが、一般に水位差が小さくても通水が可能であり、かつ生物処理能力に優れたれき間接触装置を使用することが好ましい。
【００１４】
除塵スクリーン４は、例えば、図３〜図４に示すように、多数の円板４２が回転軸４１に固定して構成した多重回転円板式スクリーンユニット４０を、このスクリーンユニット４０の円板４２の間隙間に、隣接するスクリーンユニット４０の円板４２が挿入されるように、フレーム４３に多数並設するように構成したものを用いることができる。
この場合、各スクリーンユニット４０を縦に配設し、その円板４２が河川１側で河川１の下流方向に回転するように駆動装置４４を構成する。
【００１５】
これにより、除塵した塵芥９を、円板４２の回転によって河川１の下流側に送ることができるため、塵芥９の流下を助勢して除塵スクリーン４の位置における滞留を抑制することができる。
この除塵スクリーン４によって、浄化用水路２に流入する水の除塵を行うことにより、浄化設備５の塵芥９による目詰まりを防止するとともに、除塵した塵芥９を河川１側で流下させることにより、この塵芥９の２次処理を省略することができる。
なお、塵芥９を浄化用水路内に流入しないように阻止し、かつ河川１の下流方向に流下させる構造であれば、この除塵スクリーン４の構成は限定されない。
【００１６】
止水堰８は、容易に開閉できる可動式の構造であれば任意の構造のものを用いることができるが、閉鎖時には取水口側水位ＨＷと同じ水位ないしそれ以上の水位が維持できるような高さに定め、これにより、必要なときは、浄化用水路２を閉鎖する。
この止水堰８を閉鎖することにより、浄化用水路２への河川水の流入を停止させ、除塵スクリーン４に塵芥９が残留した場合でも、この塵芥９を河川１の流れを利用して流下させ、これにより、除塵スクリーンの通水性を常に正常に保つことができる。
【００１７】
したがって、止水堰８の閉鎖は、除塵スクリーン４の河川側に残留塵芥９をセンサー（図示省略）等によって検知したとき、あるいは、残留塵芥９が溜まる時期を推定して一定期間毎に定期的に、自動的に実施することができる。
なお、図１に示すように、塵芥９は除塵スクリーン４の下流側に溜まりやすく、センサー等はこの位置に配置することができる。
また、多量の降水により河川が著しく増水する洪水状態のときには、流水中に有機物が比較的少なく、それに反して土砂などの無機物が多いので、浄化設備を損耗しないように止水堰８を閉鎖することができる。
【００１８】
【発明の効果】
本発明の河川浄化装置の運転方法によれば、浄化用水路に流入する水を除塵スクリーンで除塵することにより、浄化設備の塵芥による目詰まりを防止することができ、また、除塵スクリーンに残留塵芥が出た場合に、止水堰を閉鎖することによって浄化用水路への河川水の流入を停止させ、河川の流れを利用して残留する塵芥を流下させることができ、さらに、増水時に止水堰を閉鎖することにより、浄化用水路への河川水の流入を停止させ、増水時に増加する土砂の侵入を阻止し、浄化設備の土砂による目詰まりや損耗を防止することができ、自然流下を利用しながら、効率的な河川水の浄化を行うことができる。
【００１９】
また、除塵スクリーンを、多数の円板が回転軸に固定された多重回転円板式スクリーンユニットを、該スクリーンユニットの円板間隙間に隣接するスクリーンユニットの円板が挿入されるように並設して構成し、各スクリーンユニットの円板を河川側でその下流方向に回転させるようにすることにより、除塵スクリーンで除塵した塵芥を、そのまま河川側に流下させ、塵芥の２次処理を省略することができるとともに、この際、スクリーン円板の回転によって河川の下流側に強制的に送り、塵芥の滞留を抑制することができる。
【図面の簡単な説明】
【図１】  本発明の河川浄化装置の運転方法を適用する河川浄化装置の一実施例を示す平面図である。
【図２】  同河川浄化装置を示す縦断面図である。
【図３】  同河川浄化装置の取水口付近を示す横断面図である。
【図４】  除塵スクリーンの一例を示し、（ａ）は平面図、（ｂ）は正面図である。
【符号の説明】
１    河川
２    浄化用水路
３    取水口
４    除塵スクリーン
４０  多重回転円板式スクリーンユニット
４１  回転軸
４２  円板
４３  フレーム
５    浄化設備
６    戻し口
７    水位調整堰
８    止水堰
９    塵芥
【図１】
0004057224.tif 000002
【図２】
0004057224.tif 000003
【図３】
0004057224.tif 000004
【図４】
0004057224.tif 000005